(57)【要約】【課題】近接している複数の監視場所に設置が容易で監視時の情報が迅速に得られる監視システムを提供する。【解決手段】音声を受信する複数の音声受信部と音声受信部に近接配信されて被写体を監視する複数の撮像カメラとを有する監視システム１において、予め音声情報と被写体が発する衝撃音とが関連付けられた第１相関テーブル４と、被写体が発する衝撃音と衝撃音が発すると予測される発生場所が関連付けられた第２相関テーブル６と、第１相関テーブル４を用いて、音声情報から衝撃音のパターン認識を行う音声パターン認識手段５と、第２相関テーブル６を用いて、音声パターン認識手段５でパターン認識された衝撃音から衝撃音が発すると予測される場所の音声受信部に近接配置された撮像カメラを稼動させる操作を行う操作手段７と、撮像された映像を表示する表示手段１９と、を備える。【選択図】      図１
2006229825.tif 000002
【特許請求の範囲】
【請求項１】
音声を受信する複数の音声受信部と前記音声受信部に近接配信されて被写体を監視する複数の撮像カメラとを有する監視システムにおいて、
予め前記音声情報と前記被写体が発する衝撃音とが関連付けられた第１相関テーブルと、
前記被写体が発する前記衝撃音と前記衝撃音が発すると予測される発生場所が関連付けられた第２相関テーブルと、
前記第１相関テーブルを用いて、前記音声情報から前記衝撃音のパターン認識を行う音声パターン認識手段と、
前記第２相関テーブルを用いて、前記音声パターン認識手段でパターン認識された前記衝撃音から前記衝撃音が発すると予測される場所の前記音声受信部に近接配置された前記撮像カメラを稼動させる操作を行う操作手段と、
前記撮像カメラで撮像された映像を表示する表示手段と、
を備えたことを特徴とする監視システム。
【発明の詳細な説明】
【技術分野】
【０００１】
本発明は複数の監視場所にそれぞれ撮像カメラと音声送受信部とを有し、音声により監視場所を選定する監視システムに関する。
【背景技術】
【０００２】
従来の監視システムを図５に示す。
図５に示すように従来の監視システム２０は、監視場所の音声をマイクロフォンから入力する音声入力２１と、入力した音声をデジタル信号に変換するＡ／Ｄ変換２２と、デジタル信号に変換された音声を圧縮する音声圧縮２３と、圧縮した音声をネットワークに出力するネットワーク処理部２４と、ネットワーク処理部２４で受信された圧縮した音声を伸長する音声伸長２７と、伸長した音声をアナログ信号に変換するＤ／Ａ変換２６と、アナログに変換された音声を入力してスピーカにより音を発する音声出力２５と、監視場所に設置した撮像カメラにより被写体を撮像し映像信号とする映像入力２８と、映像信号をデジタルに変換するＡ／Ｄ変換２９と、デジタル変換された映像信号をネットワーク処理部２４で伝送するために圧縮する画像圧縮３０と、から構成される。
【０００３】
そして、この監視システム２０は、監視場所の音声と被写体の映像をネットワークと接続するためにＩＰアドレスを付加して、監視場所の音声と被写体の映像をネットワーク上に配信して、ネットワークを介して任意の場所で監視する。また任意の場所で監視している際に監視場所に指示する場合は、指示する音声をネットワーク経由でＩＰアドレスを指名して伝送する。監視場所が複数の場合は、監視システム２０をそれぞれの監視場所に設置しＩＰアドレスもそれぞれに付加してネットワークに接続する。
【０００４】
このように、監視システム２０毎にＩＰアドレスを付加してネットワークに接続することにより、複数の監視場所の監視を、ネットワークを介してＩＰアドレスを読み出すことにより任意の場所で容易に行うことが出来る。
【０００５】
特許文献１に複数の設置場所それぞれに撮像カメラと音声送受信部及びネットワーク処理部とを有して、映像と音声を交信するネットワークシステムが記載されており、各設置場所からの発信情報により設置場所の情報を選択していた。
【特許文献１】特開２００３−２１９３８２号公報
【発明の開示】
【発明が解決しようとする課題】
【０００６】
しかしながら、複数の監視場所や設置場所が近接している場合、ネットワークによる複数の撮像カメラと音声送受信部とネットワーク処理部とを有する監視システムをそれぞれの監視場所に設置することは、設置する際の場所の確保が困難であり、また操作性においてもネットワーク経由となるため監視時の情報が迅速に得られないと言う問題点があった。
【０００７】
そこで、本発明は、上記のような問題点を解消するためになされたもので、近接している複数の監視場所に設置が容易で監視時の情報が迅速に得られる監視システムを提供することを目的とする。
【課題を解決するための手段】
【０００８】
本願発明における第１の発明は、音声を受信する複数の音声受信部と前記音声受信部に近接配信されて被写体を監視する複数の撮像カメラとを有する監視システムにおいて、予め前記音声情報と前記被写体が発する衝撃音とが関連付けられた第１相関テーブルと、前記被写体が発する前記衝撃音と前記衝撃音が発すると予測される発生場所が関連付けられた第２相関テーブルと、前記第１相関テーブルを用いて、前記音声情報から前記衝撃音のパターン認識を行う音声パターン認識手段と、前記第２相関テーブルを用いて、前記音声パターン認識手段でパターン認識された前記衝撃音から前記衝撃音が発すると予測される場所の前記音声受信部に近接配置された前記撮像カメラを稼動させる操作を行う操作手段と、前記撮像カメラで撮像された映像を表示する表示手段と、を備えたことを特徴とする監視システムを提供する。
【発明の効果】
【０００９】
本発明によれば、音声を受信する複数の音声受信部と音声受信部に近接配信されて被写体を監視する複数の撮像カメラとを有する監視システムにおいて、予め音声情報と被写体が発する衝撃音とが関連付けられた第１相関テーブルと、被写体が発する衝撃音と衝撃音が発すると予測される発生場所が関連付けられた第２相関テーブルと、第１相関テーブルを用いて、音声情報から衝撃音のパターン認識を行う音声パターン認識手段と、第２相関テーブルを用いて、音声パターン認識手段でパターン認識された衝撃音から衝撃音が発すると予測される場所の音声受信部に近接配置された撮像カメラを稼動させる操作を行う操作手段と、撮像カメラで撮像された映像を表示する表示手段と、を備えることにより、近接している複数の監視場所に設置が容易で監視時の情報を迅速に得ることが出来る。
【発明を実施するための最良の形態】
【００１０】
以下に本発明の実施形態に係る監視システムについて図１〜図４を用いて説明する。
図１は、本発明の実施形態における監視システムの全体の構成を示す図である。
図２は、本発明の実施形態における選択回路の構成を示す図である。
図３は、第１相関テーブルと第２相関テーブルを示す図である。
図４は、本発明の他の実施形態における監視システムを示す図である。
【００１１】
図１に示すように、本発明の第１実施形態に監視システムは、監視場所に設置されたマイクロフォン等からなる音声入力、スピーカ等からなる音声出力、撮像カメラ等からなる映像入力を一式とする監視装置２ａ〜２ｄと、監視装置２ａ〜２ｄの入出力信号Ａ０〜Ａ３を選択する選択回路３と、選択された一組の入出力信号の中の音声信号をデジタル信号に変換するＡ／Ｄ変換９と、デジタル信号に変換された音声信号を圧縮してネットワーク処理回路１１に加える音声圧縮１０と、ネットワークに音声の入出力信号をと映像信号を接続するネットワーク処理回路１１と、ネットワーク処理回路１１から圧縮された音声信号を入力し伸長してＤ／Ａ変換１２に加える音声伸長１３と、伸長された音声信号をアナログ信号に変換し選択回路３に加えるＤ／Ａ変換１２と、選択回路３から選択された映像信号を入力しデジタル信号に変換するＡ／Ｄ変換１４と、デジタル信号に変換された映像信号を圧縮してネットワーク回路１１に加える画像圧縮１５と、から構成される。
【００１２】
そして、図２に示すように、監視システム１の選択回路３は、監視装置２ａ〜２ｄから出力される音声信号Ｓｉ０〜Ｓｉ３を入力し衝撃音等の音を発した音声信号からその音声信号を所定のテーブルにより識別する第１相関テーブル４と、テーブルにより識別された音声信号からパターン認識により音声信号の種類を認識する音声パターン認識手段５と、認識された音声信号を所定の場所で示すテーブルにより衝撃音等の音を発した監視場所を識別する第２相関テーブル６と、識別された監視場所の撮像カメラを指定して操作信号を出力する操作手段７と、操作信号を入力して識別された監視場所の監視装置の入出力信号を選択して入出力する監視場所選択８と、選択された入出力信号から映像信号に接続して映像を表示する映像表示手段と、からなる。
【００１３】
次に監視システムの動作を説明する。
図１に示すように、複数の監視装置２ａ〜２ｄの音声信号Ｓｉ０〜Ｓｉ３のいずれかの音声が選択回路３に入力されると、図２に示す第１相関テーブルに加えられどの被写体音Ｐ０であるか選択される。次に音声パターン認識手段５により、被写体音Ｐ０の種類がパターンＰ１として認識される。この認識されたパターンＰ１を第２相関テーブル６に加えて、認識されたパターンで示される監視場所Ｐ２を抽出する。
【００１４】
そして抽出された監視場所Ｐ２の制御信号Ｐ３を操作手段７で生成し、監視場所選択８に加えて抽出された選択場所の入出力信号Ａ０〜Ａ３のいずれかを選択する。選択された入出力信号は音声出力信号Ｓｉ１０、音声入力信号Ｓｏ１０、映像信号Ｖｉ１０として選択回路から入出力されるからこれを処理しネットワークに配信することにより任意の場所で監視場所Ｐ２を監視する。
【００１５】
このようにすれば、ネットワークにはわずかな接続機器で済み、さらに監視装置２ａ〜２ｄにはネットワークに接続する機材は必要でなくなり、しかも、音声入力により迅速に監視場所を選択することが出来る。
【００１６】
図４に、本発明の他の実施形態における監視システムを示す。
本発明の他の実施形態における監視システムは、監視場所から音声を入力する音声入力バッファ群５０と、監視場所に音声を出力する音声出力バッファ群５１と、監視場所の被写体を撮像カメラで撮像して映像信号を入力する映像入力バッファ群５２と、音声入力のゲインをコントロールするゲインコントロール群５３と、音声入力群をミキシングするミキシング回路５４と、ミキシングされた音声入力群をデジタル信号に変換するＡ／Ｄ変換５５と、音声のデジタル信号を圧縮してネットワーク回路６２に加える圧縮回路５６と、ネットワーク処理回路６２から圧縮された音声信号を入力し伸長する伸長回路５９と、伸長された音声信号をアナログ信号に変換するＤ／Ａ変換５８と、アナログ信号に変換された音声信号を出力する音声出力バッファを選択する選択装置５７と、映像信号をデジタル信号に変換するＡ／Ｄ変換群６０と、デジタル信号に変換された映像信号を圧縮してネットワーク処理回路に加える映像圧縮群６１と、から構成される。
【００１７】
そして、本発明の他の実施形態においては、ミキシング回路５４における各音声入力のミキシング比を音声ストリームの送付先からネットワークを経由して、音声出力バッファ群５１から音声入力のあったゲインコントロール以外のゲインコントロール群５３のレベルを低下させて双方向対話を明瞭に行う。
【００１８】
このようにして、本発明の他の実施形態では双方向対話を明瞭に行うことが出来る。
【図面の簡単な説明】
【００１９】
【図１】本発明の実施形態における監視システムの全体の構成を示す図である。
【図２】本発明の実施形態における選択回路の構成を示す図である。
【図３】第１相関テーブルと第２相関テーブルを示す図である。
【図４】本発明の他の実施形態における監視システムを示す図である。
【図５】従来の監視システムを示すずである。
【符号の説明】
【００２０】
１・・・監視システム、２ａ〜２ｄ・・・監視装置、３・・・選択回路、４・・・第１相関テーブル、５・・・音声パターン認識手段、６・・・第２相関テーブル、７・・・操作手段、８・・・監視場所選択、９・・・Ａ／Ｄ変換、１０・・・音声圧縮、１１・・・ネットワーク処理回路、１２・・・Ｄ／Ａ変換、１３・・・音声伸長、１４・・・Ａ／Ｄ変換、１５・・・画像圧縮、１６ａ〜１６ｄ・・・音声入力、１７ａ〜１７ｄ・・・音声出力、１８ａ〜１８ｄ・・・映像入力、１９・・・表示手段、５０・・・音声入力バッファ群、５１・・・音声出力バッファ群、５２・・・映像入力バッファ群、５３・・・ゲインコントロール群、５４・・・ミキシング回路、５５・・・Ａ／Ｄ変換、５６・・・圧縮回路、５７・・・選択装置、５８・・・Ｄ／Ａ変換、５９・・・伸長回路、６０・・・Ａ／Ｄ変換、６１・・・映像圧縮、６２・・・ネットワーク処理回路
【図１】
2006229825.tif 000003
【図２】
2006229825.tif 000004
【図３】
2006229825.tif 000005
【図４】
2006229825.tif 000006
【図５】
2006229825.tif 000007